(57)【要約】【課題】容易かつ確実に原稿の誤送信を防止することができるファクシミリ装置を提供する。【解決手段】原稿Ｇを読み取る原稿読取部１１と、第一送信先情報を入力又は指定する送信先入力部１５と、原稿読取部１１が取得した情報を通信回線を介して送信する送信部１２と、を備えるファクシミリ装置１０において、原稿読取部１１が取得した情報から第二送信先情報を認識する送信先認識部１９と、第一送信先情報と第二送信先情報とを比較する送信先比較部１８と、送信先比較部１８の比較結果が不一致の場合に警告を行う報知部１３，１７と、を備える。【選択図】図１
2007258920.tif 000002
【特許請求の範囲】
【請求項１】
原稿を読み取る原稿読取部と、
第一送信先情報を入力又は指定する送信先入力部と、
前記原稿読取部が取得した情報を通信回線を介して送信する送信部と、
を備えるファクシミリ装置において、
前記原稿読取部が取得した情報から第二送信先情報を認識する送信先認識部と、
前記第一送信先情報と前記第二送信先情報とを比較する送信先比較部と、
前記送信先比較部の比較結果が不一致の場合に警告を行う報知部と、
を備えることを特徴とするファクシミリ装置。
【請求項２】
前記第一送信先情報及び／又は前記第二送信先情報は、少なくとも電話番号、ＦＡＸ番号、電子メールアドレス、会社名、部署名或いは個人名のいずれかを含むことを特徴とする請求項１に記載のファクシミリ装置。
【請求項３】
前記原稿の描画情報及び前記第一送信先情報を外部から受け取る外部接続部を備え、
前記送信先認識部は、前記描画情報から前記第二送信先情報を認識することを特徴とする請求項１又は請求項２に記載のファクシミリ装置。
【発明の詳細な説明】
【技術分野】
【０００１】
本発明は、ファクシミリ装置に関する。
【背景技術】
【０００２】
ファクシミリ装置には、送信先のＦＡＸ番号を入力するテンキー、又は予め登録したＦＡＸ番号を呼び出すワンタッチキーが設けられている。そして、操作者は、これらテンキーやワンタッチキーを操作して、原稿の送信先を入力又は選択して、原稿をＦＡＸ送信する。ところが、送信先のＦＡＸ番号を間違えたり、キーを押し間違えたりして、意図しない者に原稿を送信してしまう場合がある。
このような誤送信を防止するために、キーの配列等を工夫して誤操作を防止する技術等が開示されている（特許文献１）。
また、予め誤送信情報を記憶しておき、この情報とテンキー等から入力された情報とを比較し、入力された情報が誤送信情報と一致する場合には、操作者に注意を促す技術が開示されている（特許文献２）。
【特許文献１】特開２００２−２８１１９６号公報
【特許文献２】特開２００５−７３１８６号公報
【発明の開示】
【発明が解決しようとする課題】
【０００３】
しかしながら、特許文献１に記載された技術では、操作者がキー操作を行う限り、誤操作を完全に防止することは不可能である。
また、特許文献２に記載された技術では、誤送信情報に記憶されていないＦＡＸ番号等が指定された場合には、誤送信を防止することができないという問題がある。
【０００４】
本発明は、上述した事情に鑑みてなされたもので、容易かつ確実に原稿の誤送信を防止することができるファクシミリ装置を提供することを目的とする。
【課題を解決するための手段】
【０００５】
本発明に係るファクシミリ装置では、上記課題を解決するために以下の手段を採用した。
本発明は、原稿を読み取る原稿読取部と、第一送信先情報を入力又は指定する送信先入力部と、前記原稿読取部が取得した情報を通信回線を介して送信する送信部と、を備えるファクシミリ装置において、前記原稿読取部が取得した情報から第二送信先情報を認識する送信先認識部と、前記第一送信先情報と前記第二送信先情報とを比較する送信先比較部と、前記送信先比較部の比較結果が不一致の場合に警告を行う報知部と、を備えることを特徴とする。
【０００６】
また、前記第一送信先情報及び／又は前記第二送信先情報は、少なくとも電話番号、ＦＡＸ番号、電子メールアドレス、会社名、部署名或いは個人名のいずれかを含むことを特徴とする。
【０００７】
また、前記原稿の描画情報及び前記第一送信先情報を外部から受け取る外部接続部を備え、前記送信先認識部は、前記描画情報から前記第二送信先情報を認識することを特徴とする。
【発明の効果】
【０００８】
本発明によれば以下の効果を得ることができる。
送信先入力部から入力又は指定された第一送信先情報と、原稿に記載された第二送信先情報とを比較して、これらの情報が不一致の場合には、操作者に警告が発せられるので、確実に誤送信を防止することができる。
第一送信先情報又は第二送信先情報として、電話番号、ＦＡＸ番号、電子メールアドレス、会社名、部署名或いは個人名を用いることで、誤送信を高い確率で防止することができる。
また、外部接続部に接続したパーソナルコンピュータから、原稿の描画情報と第一送信先情報が入力された場合には、原稿の描画情報から第二送信先情報を認識し、更に第一送信先情報と比較するので、誤送信を高い確率で防止することができる。
【発明を実施するための最良の形態】
【０００９】
以下、本発明のファクシミリ装置の実施形態について図を参照して説明する。
図１は、本発明の実施形態に係るファクシミリ装置１０の概略構成を示すブロック図である。
ファクシミリ装置１０は、スキャナ部１１、ＦＡＸ通信部１２、印刷部１３、記憶部１４、操作部１５、ネットワークＩ／Ｆ１６、表示部１７、制御部１８を含んで構成されている。
【００１０】
スキャナ部１１は、送信用原稿用紙（以下、原稿Ｇいう）を取り込みそのイメージを読み取る。
ＦＡＸ通信部１２は、スキャナ部１１が取り込んだ原稿のイメージ・データを、第一送信先情報等を含む通信設定情報に基づいて、電話回線を介して他のＦＡＸ機へ送信する。また、他のＦＡＸ機から送信されてくる原稿のイメージ・データを受信する。
【００１１】
記憶部１４は、ＦＡＸ送信のための通信設定情報（通信種別、宛先情報（ＦＡＸ番号等。以下、第一送信先情報という）、解像度、濃度、日時指定…）等のデータを記憶するとともに、ファクシミリ装置１０を制御するための制御プログラムを記憶している。
なお、この記憶部１４は、ＥＥＰＲＯＭ（Electrically Erasable Programmable Read Only Memory）、ハードディスク等の不揮発性の記録装置を用いて構成することができる。
【００１２】
印刷部１３は、電話回線を介して受信したイメージ・データからそのイメージを印刷したり、通信レポート等を印刷したりする。また、後述するパーソナルコンピュータＰからの指令に基づいて、原稿Ｇを印刷したりする。
【００１３】
操作部１５は、操作者（利用者）がファクシミリ装置１０に対する入力操作を行うためのテンキー、ワンタッチキー等により構成される。そして、操作者によりテンキー、ワンタッチキー等を介して入力又は設定されたデータ（第一送信先情報）は、制御部１８に通知され、その内容は下記表示部１７に表示される。第一送信先情報としては、ＦＡＸ番号の他、電話番号、会社名、部署名、個人名或いは電子メールアドレスを含んでいてもよい。
表示部１７は、液晶表示パネル等及び表示制御回路からなり、制御部１８の制御により、操作部１５から入力された設定の内容や各種情報を表示する。
【００１４】
ネットワークＩ／Ｆ１６は、ＬＡＮ等を介してパーソナルコンピュータＰを接続するためのインターフェースである。
制御部１８は、ファクシミリ装置１０の各部を制御する。すなわち、ファクシミリ装置１０の動作は、この制御部１８による制御により行われる。
なお、この制御部１８はメモリおよびＣＰＵ（中央処理装置）等により構成され、上記制御プログラムをメモリにロードして実行することによりその機能が実現されるものとする。
また、制御部１８には、スキャナ部１１が読み取った原稿Ｇのイメージ・データから、原稿Ｇに記載された文字を認識する文字認識部１９を有している。
【００１５】
次に、このように構成された本実施形態のファクシミリ装置１０におけるファクシミリ送信の際の動作について、図２，３を参照し説明する。
図２は、原稿Ｇの記載内容の一例を示す図である。図３は、原稿ＧをＦＡＸ送信する処理を示すフローチャート図である。
【００１６】
図２に示すように、原稿Ｇには、宛先情報（以下、第二送信先情報という）と発信元情報が記載されるのが一般的である。第二送信先情報としては、相手の個人名、会社名、部署名、電話番号、ＦＡＸ番号、電子メール等が記載される。また、発信元情報としては、第二送信先情報と略同一の項目が記載される。また、原稿Ｇには、その他に、標題名や各種情報等が記載される。
【００１７】
原稿ＧをＦＡＸ送信する場合には、まず原稿Ｇをスキャナ部１１の原稿取込口に配置する。次いで、操作部１５のテンキーやワンタッチキー等を操作して、送信先のＦＡＸ番号等（第一送信先情報）を設定する（ステップＳ１）。ワンタッチキーを操作した場合には、記憶部１４に予め記憶された第一送信先情報が呼び出される。
そして、操作部１５の送信ボタンを押下げすることで、ファクシミリ装置１によるＦＡＸ送信を開始させる（ステップＳ２）。
【００１８】
送信ボタンが押されると、スキャナ部１１は原稿Ｇを順次読み取り、原稿Ｇに記載した内容がイメージ・データとして取得される。この情報は、記憶部１４に記憶される（ステップＳ３）。
次に、制御部１８は、文字認識部１９により、原稿Ｇのイメージ・データから原稿Ｇに記載されている文字情報を認識する。次いで、制御部１８は、認識した文字情報の中から、氏名、会社名、部署名、電話番号、ＦＡＸ番号、電子メール等の文字情報（第二送信先情報）を選択取得する（ステップＳ４）。
更に、制御部１８は、その情報の中に、操作部１５のテンキーや短縮キー等の操作により入力又は設定された情報(第一送信先情報)と同一の情報が含まれているか否かを判断（比較）する（ステップＳ５）。
【００１９】
そして、スキャナ部１１を介して取得した第二送信先情報と、操作部１５を介して設定された第一送信先情報とが一致する場合には、ＦＡＸ通信部１２を作動させて、原稿Ｇのイメージ・データを設定された送信先に向けて送信する（ステップＳ６）。
このように、スキャナ部１１を介して取得した第二送信先情報、すなわち、原稿Ｇに記載された宛先情報が、操作部１５を介して設定された第二送信先情報送と一致する場合には、送信先が間違っている（誤送信）の可能性は極めて低いことから、原稿Ｇを設定された送信先に向けて送信する。
【００２０】
一方、スキャナ部１１を介して取得した第二送信先情報と、操作部１５を介して設定された第一送信先情報とが不一致の場合には、表示部１７に警告情報を表示したり、印刷部１３からエラーレポートを印刷したりする。警告情報の表示やエラーレポートの印刷に代えて、ブザー音を鳴らしてもよい。
そして、ＦＡＸ通信部１２を作動させることなく、ＦＡＸ送信処理を中止する（ステップＳ７）。
このように、原稿Ｇに記載されていた宛先情報（第二送信先情報）が、操作部１５を介して設定された第一送信先情報と一致しない場合には、誤送信の可能性が極めて高い。このため、操作者に、誤送信の可能性が高いことを表示部１７や印刷部１３を介して警告する。更に、ＦＡＸ送信処理を中止することで、情報の漏洩等の不都合が防止される。
【００２１】
そして、ＦＡＸ送信処理が中止された場合には、操作者は、記憶部１４に記憶された原稿Ｇのイメージ・データを消去して、再度、ＦＡＸ送信処理をやり直してもよい。或いは、操作部１５のテンキーや短縮キー等を操作して、正しい送信先のＦＡＸ番号等を再設定し、記憶された原稿Ｇのイメージ・データを正しい送信先に向けて送信するようにしてもよい。
【００２２】
このように、上述した実施形態によれば、原稿Ｇに記載されている宛先情報（第二送信先情報）と、操作部１５を介して設定された宛先情報（第一送信先情報）とを比較して、これらが不一致の場合には、原稿ＧのＦＡＸ送信を中止するので、情報の漏洩等の不都合が防止される。
特に、原稿Ｇに記載されている第二送信先情報を、スキャナ部１１を介して取得するので、新たな装置を必要としないという利点がある。また、スキャナ部１１が取得した原稿Ｇのイメージ・データを文字認識部１９が文字認識をするので、送信先の文字情報（第二送信先情報）を容易かつ確実に取得することができる。
【００２３】
次に、ファクシミリ装置１０のネットワークＩ／Ｆ１６にパーソナルコンピュータＰを接続し、このパーソナルコンピュータＰから原稿ＧをＦＡＸ送信する場合について説明する。
なお、パーソナルコンピュータＰには、ワープロソフト及びファクシミリ装置１０を制御するドライバソフトが、予めインストールされているものとする。
【００２４】
まず、パーソナルコンピュータＰにインストールされているワープロソフトを用いて、原稿Ｇを作成する。
次に、上述したドライバソフトを起動して、原稿Ｇの送信先（第一送信先情報）を設定した後に、ファクシミリ装置１０に対してＦＡＸ送信処理を指令する。なお、ドライバソフトの起動は、上述したワープロソフト等を介して行ってもよい（図３：ステップＳ１，Ｓ２参照）。
【００２５】
ドライバソフトが起動すると、原稿Ｇの描画情報（イメージ・データ等）及び第一送信先情報がパーソナルコンピュータＰから出力される。そして、その情報は、ファクシミリ装置１０の記憶部１４に記憶される（図３：ステップＳ３参照）。
【００２６】
次に、制御部１８は、文字認識部１９により、記憶部１４に記憶した原稿Ｇの描画情報から原稿Ｇに記載されている文字情報を認識する（図３：ステップＳ４参照）。
そして、制御部１８は、認識した文字情報の中から、氏名、会社名、部署名、電話番号、ＦＡＸ番号、電子メール等の文字情報（第二送信先情報）を選択取得する。更に、制御部１８は、その第二送信先情報の中に、パーソナルコンピュータＰから送られた第一送信先情報と同一の情報が含まれているか否かを判断（比較）する（図３：ステップＳ５参照）。
【００２７】
そして、制御部１８は、原稿Ｇに記載された第二送信先情報と、パーソナルコンピュータＰから送られた第一送信先情報とが一致する場合には、ＦＡＸ通信部１２を作動させて、原稿Ｇのイメージ・データを設定された送信先に向けて送信する（図３：ステップＳ６参照）。
このように、原稿Ｇに記載されている第二送信先情報が、パーソナルコンピュータＰから送られた第一送信先情報と一致する場合には、誤送信の可能性が極めて低いことから、原稿Ｇを指定された送信先に向けて送信する。
【００２８】
一方、パーソナルコンピュータＰにおいて作成された原稿Ｇに記載された第二送信先情報と、パーソナルコンピュータＰから送られた第一送信先情報とが不一致の場合には、表示部１７に警告情報を表示したり、印刷部１３からエラーレポートを印刷したりする。更に、ＦＡＸ通信部１２を作動させることなく、ＦＡＸ送信処理を中止する（図３：ステップＳ７参照）。
このように、原稿Ｇに記載されていた第二送信先情報が、第一送信先情報と一致しない場合には、誤送信の可能性が極めて高い。このため、操作者に、誤送信の可能性が高いことを表示部１７や印刷部１３を介して警告する。更に、ＦＡＸ送信処理を中止することで、情報の漏洩等の不都合が防止される。
【００２９】
このように、上述した実施形態によれば、パーソナルコンピュータＰからファクシミリ装置１０に対して、原稿Ｇの描画情報及びこの原稿Ｇの宛先情報（第一送信先情報）が送られる場合であっても、ファクシミリ装置１０が、原稿Ｇに記載されている第二送信先情報と、パーソナルコンピュータＰから送られた第一送信先情報とを比較して、これらが不一致の場合には、原稿ＧのＦＡＸ送信を中止するので情報の漏洩等の不都合が防止される。
【図面の簡単な説明】
【００３０】
【図１】本発明の実施形態に係るファクシミリ装置の概略構成を示すブロック図である。
【図２】原稿の記載内容の一例を示す図である。
【図３】原稿をＦＡＸ送信する処理を示すフローチャート図である。
【符号の説明】
【００３１】
１０…ファクシミリ装置  
１１…スキャナ部（原稿読取部）  
１２…ＦＡＸ通信部（送信部）  
１３…印刷部（報知部）  
１４…記憶部  
１５…操作部（送信先入力部）  
１６…ネットワークＩ／Ｆ（外部接続部）  
１７…表示部（報知部）  
１８…制御部（送信先比較部）  
１９…文字認識部（送信先認識部）  
Ｇ…原稿  
Ｐ…パーソナルコンピュータ  
【図１】
2007258920.tif 000003
【図２】
2007258920.tif 000004
【図３】
2007258920.tif 000005